(57)【要約】【課題】  パッティング時のミスを防止するとともに、ゴルフボールがカップインする確率を大幅に向上することができるゴルフパターを提供する。【解決手段】  グリップボディー５の台形形状部上部に設けられたプレス部１０は、プレスバー４及びクッション３が設けられ、両掌親指の腹部分でのプレス部１０への均等な押圧により、クッション３が圧縮され、両掌４指部分で保持するグリップ本体１１に作用し、パターを後方にスライドさせてバックスイングが実現され、グリップ本体１１は、下部がＵ形形状及び上部が台形形状のグリップボディー５が設けられ、両掌親指の腹部分及び手の平部分とグリップ本体１１が密着され、グリップボディー５の軽量化用の中空穴が設けられ、グリップボディー５をカバーするグリップラバー６が設けられる。【選択図】    図１
2016106711.tif 000002
【特許請求の範囲】
【請求項１】
グリップボディーの上部の台形形状部に四角形の溝が設けられ、溝の底部３か所にクッションを接着し、クッションの上部にプレスバーが組み込まれたプレス部が設けられ、プレスバーへの均等な押圧により、クッションが均等に圧縮されることを特徴とするパターグリップ。
【請求項２】
請求項１記載のプレス部のクッションは、ブレスバーの押圧力に応じて圧縮され、押圧されない状態においては、グリップ本体の原型に復元することを特徴とするパターグリップ。
【請求項３】
グリップ本体のシャフト用貫通穴の下端より上部は、台形形状のグリップボディーが設けられ、前記グリップボディーの上部両角部は曲面に形成され、シャフト貫通穴より下部は、Ｕ形形状のグリップボディーが設けられ、Ｕ形形状の内部は中空穴により軽量化されたことを特徴とするパターグリップ。
【請求項４】
請求項３記載の台形形状及びＵ形形状のグリップ本体を、軽量ゴム製のグリップラバーでカバーされたことを特徴とするパターグリップ。
【請求項５】
請求項４記載のグリップラバーと請求項３に記載の台形形状ボディー両端の面の間にクッション材を組み込み、曲面形状を形成することを特徴とするパターグリップ。
【請求項６】
請求項３に記載のグリップ本体の後部にゴム製のグリップカバーを取り付けることを特徴とするパターグリップ。
【発明の詳細な説明】
【技術分野】
【０００１】
本発明は、パッティング時のグリップの握りのミス及び距離感と方向感のずれを少なくするとともに、ゴルフボールがカップインする確率を大幅に向上することができるパターグリップに関する。
【背景技術】
【０００２】
従来のパターグリップは、シャフト軸に丸形、四角形等のゴム製のグリップが設けられ又は、シャフト軸に楕円形状のボディーが設けられ、該ボディーをラバーでカバーされた構造になっている。
【０００３】
しかしながら、従来のパターグリップは、丸形、四角形、又は楕円形状のため、パッティング時において、両掌とグリップ面が密着し難く、上下左右の平衡性と方向性を維持し難いため、握りの緩みや手ぶれが生じて、パッティングの方向性にミスが起きやすいという欠点がある。                                          
【０００４】
また、従来のパッティングは、カップとボールとの距離感と方向感に応じて、両掌でグリップを後方に引いてバックスイング幅を決める方式である。かつ、バックスイング幅を決めてから、返しのスイングの強さと方向性を意識しながら決めている。
【０００５】
しかしながら、従来のパッティングは、距離感と方向感に応じて、後方へのスイング幅を決めながら、返しのスイングの強さを意識して決めている。そのため、返しのスイングの強さと方向性を認識する時間が短いため、パッティングにおける距離感と方向性にずれが生じ易く、また、両脇と両肘が緩み易いという欠点がある。
【先行技術文献】
【特許文献】
【０００６】
【特許文献１】特開２０１１−１７２７８０号公報
【特許文献２】特開２００７−００７３８３号公報
【発明の概要】
【発明が解決しようとする課題】
【０００７】
本発明は、上記のような従来のグリップの欠点に鑑み、パッティング時の握りの緩みや手ぶれを防止するとともに、バックスイング時及び返しのスイング時における距離感と方向感のミス、及び両脇と両肘の緩みを防止し、ゴルフボールがカップインする確率を大幅に向上することができるパターグリップを提供することを目的としている。
【課題を解決するための手段】
【０００８】
上記目的を達成するために、本発明は、従来の課題を解決するために、Ｕ形形状のグリップボディーにプレス部を取り付けることにより、目的のゴルフパターを得た。すなわち、本発明のグリップは、下記の（１）〜（６）に存する。
（１）グリップボディーの上部の台形形状部に四角形の溝が設けられ、溝の底部３か所にクッションを接着し、クッションの上部にプレスバーが組み込まれたプレス部が設けられ、プレスバーへの均等な押圧により、クッションが均等に圧縮されることを特徴とするパターグリップ。
（２）前記（１）記載のプレス部のクッションは、プレスバーの押圧力に応じて圧縮され、押圧されない状態においては、グリップ本体の原型に復元することを特徴とするパターグリップ。                          
（３）グリップ本体のシャフト貫通穴の下端より上部は、台形形状のグリップボディーが設けられ、前記グリップボディーの上部両角部は曲面に形成され、シャフト貫通穴の下端より下部は、Ｕ形形状のグリップボディーが設けられ、Ｕ形形状の内部は、中空穴により軽量化されたことを特徴とするパターグリップ。
（４）前記（３）記載の台形形状及びＵ形形状のグリップ本体は、軽量ゴム製のグリップラバーでカバーされたことを特徴とするパターグリップ。
（５）前記（４）記載のグリップラバーと、前記（３）記載の台形形状グリップボディー両端の面の間にクッション材を組み込み、曲面形状を形成することを特徴とするパターグリップ。
（６）前記（３）記載のグリップ本体の後部にゴム製のグリップカバーが取り付けられることを特徴とするパターグリップ。
【発明の効果】
【０００９】
以上の説明から明らかなように、本発明にあっては、次に列挙する効果が得られる。  （１）  請求項（１）及び請求項（２）の構成によれば、グリップ本体の両掌の４指及び手の平部分での握り、並びに、パターの支持状態において、両掌親指の腹部分によるプレス部を斜下方向への押圧作用により、グリップ本体を後方にスライドさせて、バックスイングを実現する。よって、バックスイング幅がプレス部の押圧のみで決まるため、返しのスイングの強さ及び方向性を意識する時間が長く取れ、ゴルフボールを正確にヒットできる。かつ、両脇と両肘が締り、スイングぶれが少なくできる。                    
したがって、パッティングのストロークにおけるバックスイング及び返しのスイング時の距離感と方向感のミスを防止できる。
【００１０】
（２）前記（１）によって、ゴルフボールがカップインする確率を大幅に向上することができる。
【００１１】
（３）請求項３、請求項４及び請求項５の構成によれば、グリップと両掌親指及び４指
と手の平部分が密着し、グリップ面とのフィット及び方向性が保持できるとともに、グリップの緩みや手ぶれを少なくできる。よって、前記（２）と同様な効果が得られる。
【図面の簡単な説明】
【００１２】
【図１】本発明を実施するための最良の第１の形態のグリップ本体の部分断面図である
【図２】同グリップの図１におけるＡ−Ａ断面である。
【図３】同グリップの図１におけるＢ−Ｂ断面図である。
【図４】同グリップの図１におけるＣ−Ｃ断面図である。
【図５】同グリップの図４におけるプレス部を両掌親指部分で押圧した状態を示す部分断面図である。
【図６】同グリップをパター本体に取り付けた実施の形態の上面図である。
【発明を実施するための形態】
【００１３】
以下、本発明の実施の形態を図に基づいて説明する。
【００１４】
図１は、本発明の実施例の部分断面図であって、１のグリップカバーを取り外し、６のグリップラバーをカットしたグリップ本体の構造図である。１０は、プレス部で、４のプレスバーが両掌親指の腹部分からの押圧力で、３のクッションが圧縮される構造としている。３は、クッションで４のプレスバーからの押圧力で圧縮され、５のグリップボディー及び両掌の４指で保持する１１のグリップ本体に作用して、１１のグリップ本体が後方へスライドされる構造としている。１は、ゴム製のグリップカバーで１１のグリップ本体の後部カバー用に取り付けられ、２のシャフト貫通穴は、シャフト取り付け用、５は、プラスティック製のグリップボディー、６は、軽量ゴム製のグリップラバー、７は、パターのシャフト、８の軽量化用の中空穴から構成されている。
【００１５】
図２は、１のグリップカバーを外した後方から見た断面図で、２は、シャフト用貫通穴
でパターのシャフト取り付け用とされている。５のグリップボディーは、プラスティック製で３のクッションと４のプレスバーの組み込み用の溝が設けられ、８の中空穴により軽量化されている。５のグリップボディーの台形形状部の上面と４のプレスバーの最上面の間は、約４mmの高低差が設けられ、両掌親指の腹部分からの押圧力が４のプレスバーに伝達され易い構造とされている。９のクッション材は、５のグリップボディーと４のプレスバー及び６のグリップラバーのスペースに曲面形状用に取り付けられている。６のグリップラバーは、９のクッション材、４のプレスバー、５のグリップボディーと接着剤で固定されている。かつ、５のグリップボディーのＵ形形状部は、横に広い楕円形形状にして、両掌の４指と手の平部分をフィットされる構造としている。                          
【００１６】
図３は、６のグリップカバーを外した上部からの断面図で、５のグリップボディーに４のプレスバーを組み込まれる構造にされている。又、４のプレスバーのスライド分を勘案し、４のプレスバーは、５のプラスティックボディー上部の四角形の溝に対して、約５mm短くされている。                                          
【００１７】
図４は、グリップ本体の縦の断面図で、５のグリップボディー上部の四角形の溝の底部３か所に３のクッションが接着剤で固定されている。３のクッションの上部にプラスティック製の４のプレスバーが組み込まれ１０のプレス部を構成している。６のグリップラバーと４のプレスバーは、接着剤で固定されている。５のグリップボディーのＵ形形状部は、８の中空穴によって軽量化が図られている。
【００１８】
図５は、１０のプレス部を両掌親指の腹部分で押圧した状態の断面図で、両掌親指の腹部分からの押圧力が６のグリップカバーを通じて４のプレスバーに伝わり、３のクッションは、５のグリップボディーの間で圧縮されている。３のクッションは、４のプレスバーからの６００ｇ以上の押圧力で圧縮され、最大圧縮幅は、約４mmとしている。また、１０のプレス部は、押圧力を解除すると原型に復元する構造とされている。２のシャフト貫通穴は、パターのシャフト取り付け用とされている。
【００１９】
図６は、１１のグリップ本体をパターシャフトに取り付けた実施の形態の上面図で、１２のパターヘッド及び７のシャフトに１１のグリップ本体を接着剤で固定して取り付られている。
【００２０】
（１）前記、図２、図３及び図５の実施の形態における寸法は、一例を示したに過ぎない。
（２）前記、実施の形態における１１のグリップ本体は、Ｌ型パター、ピン型パター及び
マレット型パター等の各種パターに取り付けて使用される。
【産業上の利用可能性】
【００２１】
本発明は、Ｌ型パター、ピン型パター及びマレット型パター等の各種パターに適用可能で、各種パター及びパターグリップを製造する産業で利用される。
【符号の説明】
【００２２】
１    グリップカバー
２    シャフト貫通穴
３    クッション
４    プレスバー
５    グリップボディー
６    グリップラバー
７    シャフト
８    中空穴
９    クッション材
１０  プレス部
１１  グリップ本体
１２  パターヘッド
【図１】
2016106711.tif 000003
【図２】
2016106711.tif 000004
【図３】
2016106711.tif 000005
【図４】
2016106711.tif 000006
【図５】
2016106711.tif 000007
【図６】
2016106711.tif 000008